【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
塩素を含む廃棄物に、それを流動化させる程度の水を添加すると共に撹拌槽中で懸濁させて、廃棄物中の塩素を溶出させ、これをベルトフィルターもしくはフィルタープレスで濾過し、得られた脱塩ケークをセメント原料に使用すると共に、水洗によって廃棄物中の塩素及び重金属が溶出した濾液に対して、薬剤の添加または炭酸ガスを含有するガスを吹き込んでｐＨ調整を行い、さらにキレート剤添加及び／またはキレート樹脂吸着及び／または活性炭吸着を併用して、重金属および有害成分を沈殿させ、これを濾過して該沈殿物を除去し、濾液を放流することを特徴とするセメント原料化処理方法。
【請求項２】
炭酸ガスを含有するガスが、セメントキルン排ガスであることを特徴とする請求項１に記載のセメント原料化処理方法。
【請求項３】
重金属および有害成分が除去された濾液を蒸発設備で蒸発させて、溶解している塩化物を析出させて除去し、蒸発した水をコンデンサーにより液化して、再度塩素溶出用の水に使用することを特徴とする請求項１または２に記載のセメント原料化処理方法。
【請求項４】
重金属および有害成分が除去された濾液を電気透析膜または逆浸透膜を使用した膜処理設備によって濾液中の塩分を２倍以上に濃縮し、濃縮した液を蒸発設備で蒸発させて、溶解している塩化物を析出させて除去し、蒸発した水をコンデンサーにより液化して、膜処理後の脱塩水とともに、再度塩素溶出用の水に使用することを特徴とする請求項１または２に記載のセメント原料化処理方法。
【請求項５】
蒸発設備が、真空蒸発缶であることを特徴とする請求項３または４に記載のセメント原料化処理方法。
【請求項６】
重金属および有害成分を除去した後の濾液に添加剤を添加してカルシウムイオンをナトリウムに置換し、この時析出する炭酸カルシウムはセメント原料に使用し、濾液を蒸発させてまたは膜処理により濃縮した後に濾液を蒸発させて、溶解している塩化ナトリウムを析出させることを特徴とする請求項３〜５のいずれか一項に記載のセメント原料化処理方法。
【請求項７】
重金属および有害成分を除去した後の濾液に添加剤を添加してカルシウムイオンをナトリウムに置換し、この時析出する炭酸カルシウムはセメント原料に使用し、イオン交換膜を用いて、濾液中の塩化ナトリウムから水酸化ナトリウムを生成させ、これを排水のpH調整またはその他の用途に再利用することを特徴とする請求項３〜５のいずれか一項に記載のセメント原料化処理方法。
【請求項８】
重金属および有害成分を除去した後の濾液に添加剤を添加してカルシウムイオンをナトリウムに置換し、この時析出する炭酸カルシウムはセメント原料に使用し、ソルベー法または塩安ソーダ法によって、濾液中の塩化ナトリウムから炭酸ナトリウムを生成させ、これをカルシウムをナトリウムに置換する際の添加剤またはその他の用途に再利用することを特徴とする請求項３〜５のいずれか一項に記載のセメント原料化処理方法。
【請求項９】
ごみ焼却により排出された飛灰を、塩素を含む廃棄物として用いることを特徴とする請求項１〜８のいずれか一項に記載のセメント原料化処理方法。
【請求項１０】
セメント製造設備において、セメントキルンおよびプレヒーターの中で循環濃縮し、塩素、硫黄、アルカリ等をキルンの排ガスとともにセメントキルン外へ抽気し、抽気した排ガスを塩素、硫黄、アルカリ等の化合物の融点以下の温度に急冷却してこれらの成分を水溶性塩素化合物を含むダストとして除去する際の、生成されたダストを、塩素を含む廃棄物として用いることを特徴とする請求項１〜８のいずれか一項に記載のセメント原料化処理方法。
【請求項１１】
セメントキルン内で気化した塩素、硫黄、アルカリ等を排ガスとともに全排ガス量の10%以下をキルン外へ抽気し、抽気した排ガスを塩素化合物の融点以下の温度に急冷却した後、５〜７μmを分級点として生成したダストを粗粉と微粉とに分離し、粗粉を排ガスとともにセメントキルン内へ戻すセメント製造設備において、分離された微粉ダストを、塩素を含む廃棄物として用いることを特徴とする請求項１０に記載のセメント原料化処理方法。
【手続補正２】
【補正対象書類名】明細書
【補正対象項目名】０００８
【補正方法】変更
【補正の内容】
【０００８】
すなわち、本願発明は、（１）塩素を含む廃棄物に、それを流動化させる程度の水を添加すると共に撹拌槽中で懸濁させてスラリー化し、廃棄物に含まれている塩素を溶出させ、これをベルトフィルターもしくはフィルタープレスで濾過し、得られた脱塩ケークをセメント原料に使用すると共に、水洗によって廃棄物中の塩素及び重金属が溶出した濾液に対して、薬剤の添加または炭酸ガスを含有するガスを吹き込んでｐＨ調整を行い、さらにキレート剤添加及び／またはキレート樹脂吸着及び／または活性炭吸着を併用して、重金属および有害成分を沈殿させ、これを濾過して該沈殿物を除去し、濾液を放流するセメント原料化処理方法である。
【手続補正３】
【補正対象書類名】明細書
【補正対象項目名】０００９
【補正方法】変更
【補正の内容】
【０００９】
また、本願発明は、（２）炭酸ガスを含有するガスとして、セメントキルン排ガスを使用する方法を含む。
また、本願発明は、（３）上記のように重金属および有害成分を除去した後の濾液を蒸発設備で蒸発させ、溶解している塩化物を析出させて除去し、蒸発した水はコンデンサー等で液化して、再度塩素溶出用のスラリー化用水または洗浄用水に使用する方法、（４）重金属および有害成分を除去した後の濾液に電気透析膜または逆浸透膜を使用した膜処理設備によって濾液中の塩分を２倍以上に濃縮し、濃縮した液を蒸発設備で蒸発させて溶解している塩化物を析出させて除去し、蒸発した水はコンデンサー等で液化して、膜処理後の脱塩水とともに再度スラリー化用水や洗浄用水に使用する方法を含む。
さらに、本願発明は、（５）蒸発設備として真空蒸発缶を使用する方法を含む。
そして、本願発明は、（６）重金属および有害成分を除去した後の濾液に添加剤を添加してカルシウムイオンをナトリウムに置換し、この時析出する炭酸カルシウムはセメント原料に使用し、濾液は、その後、蒸発させてまたは膜処理により濃縮した後に蒸発させて溶解している塩化ナトリウムを析出させる方法を含む。
【手続補正４】
【補正対象書類名】明細書
【補正対象項目名】００１０
【補正方法】変更
【補正の内容】
【００１０】
また、本願発明は、（７）重金属および有害成分を除去した後の濾液に添加剤を添加してカルシウムイオンをナトリウムに置換し、この時析出する炭酸カルシウムはセメント原料に使用し、そして、イオン交換膜を用いて、濾液中の塩化ナトリウムから水酸化ナトリウムを生成させ、これを排水のpH調整またはその他の用途に再利用する方法を含む。
【手続補正５】
【補正対象書類名】明細書
【補正対象項目名】００１１
【補正方法】変更
【補正の内容】
【００１１】
さらに、本願発明は、（８）重金属および有害成分を除去した後の濾液に添加剤を添加してカルシウムイオンをナトリウムに置換し、この時析出する炭酸カルシウムはセメント原料に使用し、ソルベー法または塩安ソーダ法によって、濾液中の塩化ナトリウムから炭酸ナトリウムを生成させ、これをカルシウムをナトリウムに置換する際の添加剤またはその他の用途に再利用する方法を含むものである。
【手続補正６】
【補正対象書類名】明細書
【補正対象項目名】００１２
【補正方法】変更
【補正の内容】
【００１２】
また、本願発明は、（９）ごみ焼却により排出された飛灰を、塩素を含む廃棄物として用いる方法を含む。
さらに、本願発明は、（１０）セメント製造設備において、セメントキルンおよびプレヒーターの中で循環濃縮し、塩素、硫黄、アルカリ等をキルンの排ガスとともにセメントキルン外へ抽気し、抽気した排ガスを塩素、硫黄、アルカリ等の化合物の融点以下の温度に急冷却してこれらの成分を水溶性塩素化合物を含むダストとして除去する際の、生成されたダストを、塩素を含む廃棄物として用いる方法を含むものである。ここで、（１１）セメントキルン内で気化した塩素、硫黄、アルカリ等を排ガスとともに全排ガス量の10%以下をキルン外へ抽気し、抽気した排ガスを塩素化合物の融点以下の温度に急冷却した後、５〜７μmを分級点として生成したダストを粗粉と微粉とに分離し、粗粉を排ガスとともにセメントキルン内へ戻すセメント製造設備において、分離された微粉ダストを、塩素を含む廃棄物として用いることもできる。
【手続補正７】
【補正対象書類名】明細書
【補正対象項目名】００３２
【補正方法】変更
【補正の内容】
【００３２】
実施例２
次に図３に示した設備を実験用に仮設し実験を行った。
１〜10までは実施例１と同様の工程であり、まず、撹拌槽３に塩素22％、カルシウム30％を含有する飛灰を15kg/hrの割合で投入し、これに約50℃に加熱した温水を20kg/hrで添加し、撹拌槽での滞留時間が、約１時間のなるように設定し、混合した。
次にこの懸濁液を濾過設備４のベルトフィルターで濾過および50℃，55kg/hrの温水でケーク洗浄を行った。
こうして実施例１と同様に脱塩ケーク５が22.8kg-wet/hr得られ、このケーク５中の塩素を分析したところ、やはり同様に0.2％（乾燥重量換算）と十分に塩素が除去できており、セメント原料として利用が可能である。